(57)【要約】【課題】操作性の良い電子機器および表示方法を提供する。【解決手段】本発明の電子機器１０は、画像情報を提供する画像提供部１１，１４，２２と、画像情報を表示する表示部１３と、前記画像提供部１１，１４，２２から入力される画像情報の前記表示部１３への表示を制御する表示制御部２１と、前記表示制御部２１に表示を指示する表示操作部１２，１３Ｐと、を備え、前記表示制御部２１は、表示操作部１２，１３Ｐによる表示指示に応じて、前記表示部１３における表示画面３０の第１の領域３１に第１の画像を表示すると共に、表示操作部による第２の画像の表示指示に応じて、前記第１の領域３１に前記第２の画像を表示すると共に、前記第１の画像を前記第１の領域３１より小さな面積で何れかの辺を前記第１の領域３１の辺に合わせて隣接する第２の領域３２に表示すること、を特徴とする。【選択図】図３
2013219578.tif 000002
【特許請求の範囲】
【請求項１】
画像情報を提供する画像提供部と、
画像情報を表示する表示部と、
前記画像提供部から提供される画像情報の前記表示部への表示を制御する表示制御部と、
前記表示制御部に表示を指示する表示操作部と、
を備え、
前記表示制御部は、表示操作部による表示指示に応じて、前記表示部における表示画面の第１の領域に第１の画像を表示すると共に、表示操作部による第２の画像の表示指示に応じて、前記第１の領域に前記第２の画像を表示すると共に、前記第１の画像を前記第１の領域より小さな面積で何れかの辺を前記第１の領域の辺に合わせて隣接する第２の領域に表示すること、
を特徴とする電子機器。
【請求項２】
請求項１に記載の電子機器であって、
前記表示制御部は、前記表示操作部による新たな画像の表示指示に応じて、前記第１の領域に前記新たな画像を表示すると共に、前記第１の領域に対する前記第２の領域の関係と同様の関係を第２の領域に用いて第３の領域を表示し、前記第１の領域から前記第３の領域までの各領域に画像を順送りに表示すること、
を特徴とする電子機器。
【請求項３】
請求項１または２に記載の電子機器であって、
前記表示制御部は、各領域を、前記表示画面の略中央に向かって渦巻き状に配置して画像を表示すること、
を特徴とする電子機器。
【請求項４】
請求項１〜３のいずれか１項に記載の電子機器であって、
前記表示制御部は、各領域には、その面積に応じて画像の表示領域を調整して表示すること、
を特徴とする電子機器。
【請求項５】
請求項１〜４のいずれか１項に記載の電子機器であって、
前記表示制御部は、各領域に表示された画像における前記表示操作部によって選択された画像を、前記第１の領域に表示すること、
を特徴とする電子機器。
【請求項６】
請求項１〜５のいずれか１項に記載の電子機器であって、
前記表示制御部は、各領域の面積に応じて、画像表示要素を変化させること、
を特徴とする電子機器。
【請求項７】
請求項１〜６のいずれか１項に記載の電子機器であって、
前記表示制御部は、前記表示画面を略黄金比の矩形とすると共に、各領域を表示可能域における短辺が一辺となる正方形とすること、
を特徴とする電子機器。
【請求項８】
画像提供部から提供される画像情報を表示操作部の表示指示に応じて表示画面に表示する表示方法であって、
前記表示画面における第１の領域に第１の画像を表示し、前記表示操作部による第２の画像の表示指示に応じて、前記第１の領域に前記第２の画像を表示すると共に、前記第１の画像を前記第１の領域より小さな面積で何れかの辺を前記第１の領域の辺に合わせて隣接する領域に表示すること、
を特徴とする表示方法。
【発明の詳細な説明】
【技術分野】
【０００１】
本発明は、電子機器およびその表示方法に関するものである。
【背景技術】
【０００２】
たとえば、デジタルカメラ等の電子機器における各種機能の設定方法として、液晶等の表示パネルにメニュー画面を表示し、そのメニュー画面から設定画面を呼び出して行うものが知られている。
このような設定方法では、多くの項目の設定を可能とするために、設定画面は階層構造となっている。そして、項目を選択するとその下位の詳細項目が新たな画面として表示され、さらに、選択・表示を繰り返すことで目的の設定項目画面に到達できるようになっている（たとえば、特許文献１参照）。
【先行技術文献】
【特許文献】
【０００３】
【特許文献１】特開平５−１５８６４４号公報
【発明の概要】
【発明が解決しようとする課題】
【０００４】
しかしながら、上記従来構成では、設定項目が多いと階層構造が複雑になり、操作中に現在の階層がわからなくなる可能性がある。また、操作中に上位の階層に戻りたい場合には、１階層ずつ戻る操作を行わなければならず、煩雑である。
【０００５】
本発明の課題は、操作性の良い電子機器および表示方法を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、画像情報を提供する画像提供部（１１，１４，２２）と、画像情報を表示する表示部（１３）と、前記画像提供部（１１，１４，２２）から入力される画像情報の前記表示部（１３）への表示を制御する表示制御部（２１）と、前記表示制御部（２１）に表示を指示する表示操作部（１２，１３Ｐ）と、を備え、前記表示制御部（２１）は、表示操作部（１２，１３Ｐ）による表示指示に応じて、前記表示部（１３）における表示画面（３０）の第１の領域（３１）に第１の画像を表示すると共に、表示操作部による第２の画像の表示指示に応じて、前記第１の領域（３１）に前記第２の画像を表示すると共に、前記第１の画像を前記第１の領域（３１）より小さな面積で何れかの辺を前記第１の領域（３１）の辺に合わせて隣接する第２の領域（３２）に表示すること、を特徴とする電子機器（１０）である。
請求項２に記載の発明は、請求項１に記載の電子機器であって、前記表示制御部（２１）は、前記表示操作部（１２，１３Ｐ）による新たな画像の表示指示に応じて、前記第１の領域（３１）に前記新たな画像を表示すると共に、前記第１の領域（３１）に対する前記第２の領域（３２）の関係と同様の関係を第２の領域に用いて第３の領域を表示し、前記第１の領域から前記第３の領域までの各領域（３１〜３５）に画像を順送りに表示すること、を特徴とする電子機器（１０）である。
請求項３に記載の発明は、請求項１または２に記載の電子機器であって、前記表示制御部（２１）は、各領域（３１〜３５）を、前記表示画面（３０）の略中央に向かって渦巻き状に配置して画像を表示すること、を特徴とする電子機器（１０）である。
請求項４に記載の発明は、請求項１〜３のいずれか１項に記載の電子機器であって、前記表示制御部（２１）は、各領域（３１〜３５）には、その面積に応じて画像の表示領域を調整して表示すること、を特徴とする電子機器（１０）である。
請求項５に記載の発明は、請求項１〜４のいずれか１項に記載の電子機器であって、前記表示制御部（２１）は、各領域（３１〜３５）に表示された画像における前記表示操作部（１２，１３Ｐ）によって選択された画像を、前記第１の領域（３１）に表示すること、を特徴とする電子機器（１０）である。
請求項６に記載の発明は、請求項１〜５のいずれか１項に記載の電子機器であって、前記表示制御部（２１）は、各領域（３１〜３５）の面積に応じて、画像表示要素を変化させること、を特徴とする電子機器である。
請求項７に記載の発明は、請求項１〜６のいずれか１項に記載の電子機器であって、前記表示制御部（２１）は、前記表示画面（３０）を略黄金比の矩形とすると共に、各領域（３１〜３５）を表示可能域における短辺が一辺となる正方形とすること、を特徴とする電子機器（１０）である。
請求項８に記載の発明は、画像提供部（１１，１４，２２）から入力される画像情報を表示操作部（１２，１３Ｐ）の表示指示に応じて表示画面（３０）に表示する表示方法であって、前記表示画面（３０）における第１の領域（３１）に第１の画像を表示し、前記表示操作部（１２，１３Ｐ）による第２の画像の表示指示に応じて、前記第１の領域（３１）に前記第２の画像を表示すると共に、前記第１の画像を前記第１の領域（３１）より小さな面積で何れかの辺を前記第１の領域（３１）の辺に合わせて隣接する領域に表示すること、を特徴とする表示方法である。
【発明の効果】
【０００８】
本発明によれば、解り易く操作性の良い電子機器および表示方法を提供できる。
【図面の簡単な説明】
【０００９】
【図１】本発明の実施の形態を適用したカメラのブロック構成図である。
【図２】カメラの外観背面図である。
【図３】表示制御部による表示画面における表示領域の説明図である。
【図４】設定操作時における表示部の表示の説明図である。
【図５】表示部における表示例を示す図である。
【図６】表示部における表示の変更操作の説明図である。
【図７】表示部における画像表示と表示変更の説明図である。
【発明を実施するための形態】
【００１０】
以下、図面等を参照して、本発明の実施形態について説明する。
図１は、本発明の実施の形態を適用した電子機器としてのカメラ１０のブロック構成図である。図２は、カメラ１０の外観背面図である。
図１に示すように、カメラ１０は、撮像部１１と、操作部１２と、表示部１３と、記録部１４と、を備えている。また、カメラ１０は、当該カメラ１０を統括制御する制御部２０を備えている。
撮像部１１は、詳細は省略するが、撮像レンズと撮像素子等を備え、撮影レンズによって形成された被写体像を撮像素子の撮像面に結像させ、その被写体像を電気信号に変換して制御部２０に出力する。
【００１１】
操作部１２は、図２に示すように、シャッターボタン１２Ａ、ロータリースイッチ１２Ｂ、ＯＫボタン１２Ｃおよびメニューボタン１２Ｄ等複数の操作ボタンを備えている。
この操作部１２は、使用者によって操作され、その操作情報は制御部２０に出力される。
また、後述する表示部１３に表示される操作画面は、ロータリースイッチ１２Ｂ等の操作により選択できるようになっている。
【００１２】
表示部１３は、図２に示すように、カメラ１０の背面に設けられた液晶パネル１３Ｐを備えている。表示部１３は、後述する制御部２０によって制御され、撮像部１１による撮像画像（スルー画像）や再生画像およびそれらのヒストグラムや撮影情報等を表示する。
また、表示部１３は、シャッター速度，絞りおよび露光補正情報等の、使用者が操作部１２を介して入力した撮影に係る設定項目の情報も表示する。
なお、液晶パネル１３Ｐは、タッチパネルであり、表示部分に接触することで、項目の選択および決定が可能となっているおり、すなわち、表示部１３は、表示操作部としての機能も有する。
記録部１４は、着脱可能なリムーバブルメモリ等の記録媒体を備え、制御部２０によって画像処理された撮影画像を記録媒体に記録する。
【００１３】
制御部２０は、ＣＰＵ、メモリ、およびその他の周辺回路によって構成されており、カメラ１０の各部を統合的に制御する。制御部２０は、それらの処理を実行するためのプログラムを予め記録・保持している。
制御部２０は、撮像部１１から入力される画像情報に対して画像処理を行い、操作部１２の操作に応じて記録部に記録する。
【００１４】
また、制御部２０は、表示制御部２１と、設定制御部２２と、を備えている。
表示制御部２１は、表示部１３における種々表示を制御する。すなわち、撮像部１１による撮像画像（スルー画像）、記録部１４に記録された画像の再生画像、各種設定状態表示画面、各種設定の際に用いられる設定メニュー画面等の表示部１３への表示を制御する。この表示制御部２１による表示については、後に詳述する。
設定制御部２２は、当該カメラ１０における各種機能の設定を行うものである。そして、各種設定メニュー画面を保持すると共に、設定メニュー画面における設定項目に対する操作部１２を介した使用者からの指示に応じて、撮影および画像処理に係る動作を各部に指示する。
【００１５】
そしてカメラ１０は、撮影に際して、使用者（撮影者）による操作部１２の操作に基づく制御部２０の制御によって、撮像部１１が被写体像を電気信号に変換した画像データを記録部１４に記録する。表示部１３は、前述したように、撮像部１１による撮像画像（スルー画像）や再生画面、種々の設定情報，撮影情報および設定画面等を表示する。
【００１６】
つぎに、前述した図１および図２に加えて図３〜図７を参照して、表示制御部２１の制御による表示部１３における各種表示について説明する。
図３は、表示制御部２１による表示画面における表示領域３０の説明図である。図４は、設定操作時における表示部１３の表示の説明図である。図５は、表示部１３における表示例を示す図である。図６は、表示部１３における表示の変更操作の説明図である。図７は、表示部１３における画像表示と表示変更の説明図である。
【００１７】
表示制御部２１は、前述したように、撮像部１１が撮像したスルー画像、記録部１４に記録した画像の再生画像、各種設定画面、の表示部１３への表示を制御する。
表示制御部２１は、表示形態（モード）として、表示する内容に、順序付けされた複数の画像や、階層設定された複数の設定画面がある場合に、任意に（設定によって）適用される階層表示モードを有している。
【００１８】
以下、表示制御部２１によるこの階層表示モードにおける表示制御について、詳細に説明する。
階層表示モードでは、表示制御部２１は、表示部１３における液晶パネル１３Ｐに、図３（ａ）に示すように、縦横比が略黄金比［１：（１＋√５）／２≒１：１．６１８］の長方形の表示領域３０を設定する。
【００１９】
そして、その表示領域３０の内部を、短辺を一辺とする正方形の第１領域３１と、その残余の領域の短辺を一辺とする正方形の第２領域３２と、その残余の領域の短辺を一辺とする正方形の第３領域３３と、その残余の領域の短辺を一辺とする正方形の第４領域３４と、さらに、その残余の領域の短辺を一辺とする正方形の第５領域３５と、に区分する。
【００２０】
第１領域３１〜第５領域３５は、図３（ａ）中に矢印で示すように、表示領域３０の中央付近に向かって渦巻きを描くように配置する。なお、図３（ａ）では、第１領域３１から第５領域３５に反時計回りで至るが、回転方向はこれに限らず逆であっても良い。
【００２１】
表示制御部２１は、各領域３１〜３５に対して、後述する操作部１２等によって表示指示された順番に表示を行う。結果的に、順序付けされているものはその順番で、また階層構造を有するものはその階層順位に従って表示されることになる。
【００２２】
第１領域３１はその表示項目に対して操作可能（アクティブ）とすると共に、他の領域（第２領域３２〜第５領域３５）は表示項目に対しては操作不能であるが表示画面自体の選択は可能とする。
なお、各領域３１〜３５は、順次面積が半分程度に小さくなって行くが、その領域内に表示画面を縮小して全体を表示しても一部のみを表示するようにしても何れでも良く、表示内容の視認性を考慮して解り易い縮尺と表示部位を選定することが可能である。
【００２３】
図４に、表示制御部２１による、ライブビュー（スルー画表示）中に設定操作が行われた場合における表示部１３の表示例を示す。設定操作時において表示部１３に表示する内容は、設定制御部２２が保持するものであり、この場合は、設定制御部２２が表示画像の画像提供部である。
【００２４】
図４（ａ）は、ライブビュー中の表示画面である。下部の情報エリア４０を除く表示領域３０は、前述したように縦横比が略黄金比の矩形となっている。操作部１２におけるメニューボタン１２Ｄの押圧等の操作によって第１階層の設定メニューが呼び出されると、図４（ｂ）に示すように、第１領域３１に設定メニュー画面Ｍ１を表示する。第２領域３２以下の領域には、ライブビュー画面ＬＶの表示を継続する。
【００２５】
図４（ｂ）に示す第１領域３１の設定メニュー画面Ｍ１から、下位階層を呼び出す項目（撮影メニュー）が選択・決定されると、図４（ｃ）に示すように、選択された第２階層画面（撮影メニュー画面Ｍ２）を第１領域３１に表示し、第１階層の設定メニュー画面Ｍ１を第２領域３２に移して表示する。つまり、第１階層画面を第２領域３２に移動させ、新たに第２階層画面を第１領域３１に表示するものである。この状態では、第１領域３１に表示された第２階層画面（撮影メニュー画面Ｍ２）がアクティブとなる。
なお、アクティブな第１領域３１からの下位階層の呼び出しは、操作部１２を操作して当該項目を選択・確定、または、表示部１３における液晶パネル１３Ｐの項目部位のタッチで選択および確定で行う。
【００２６】
さらに、図４（ｃ）に示す第１領域３１の第２階層画面（撮影メニュー画面Ｍ２）から、下位階層を呼び出す項目（動画音声）が選択・決定されると、図４（ｄ）に示すように、選択された第３階層画面（動画音声画面Ｍ３）を第１領域３１に表示すると共に、第２階層の撮影メニュー画面Ｍ２を第２領域３２に、第１階層の設定メニュー画面Ｍ１を第３領域３３に、それぞれ移して表示する。
つまり、アクティブな第１領域３１に表示された画面から、下位の階層を呼び出す項目が選択・確定されると、選択された新たな画面を第１領域３１に表示し、それに伴って既存の画面の表示領域を１つずつ、ずらすものである。
【００２７】
従って、図４（ｄ）に示す第１領域３１に表示された第３階層の動画音声画面Ｍ３から、下位階層を呼び出す項目（録音設定）が選択・決定されると、図４（ｅ）に示すように、選択された第４階層画面（録音設定画面Ｍ４）を第１領域３１に表示すると共に、第３階層画面（動画音声画面Ｍ３）を第２領域３２に、第２階層画面（撮影メニュー画面Ｍ２）を第３領域３３に、第１階層画面（設定メニュー画面Ｍ１）を第４領域３４に、それぞれ移して表示する。
【００２８】
この図４（ｅ）に示す状態では、第４領域３４に階層中最も上位の第１階層画面（設定メニュー画面Ｍ１）が表示され、そこから領域を遡る毎に下位階層の画面が表示され、第１領域３１に最も下位の第４階層画面（録音設定画面Ｍ４）が表示されている。第５領域は、空き領域であるのでライブビュー画面ＬＶが覗いている。この状態から、さらに、下位階層の項目があって選択・決定されれば、その画面を第１領域３１に表示し、第１階層画面（設定メニュー画面Ｍ１）を第５領域３５に表示する。
【００２９】
つまり、図３（ｂ）に示すように、下位の階層の選択に伴って、上位の階層の表示が次第に奥まって行くような表示となる。なお、図４（ｅ）に示すような設定途中の状態で、設定を中止する場合には、操作部１２におけるメニューボタン１２Ｄを押圧操作するか、または、第５領域３５のライブビュー画面ＬＶをタッチ操作する。このような設定解除の為に、最下位の領域には選択画像を表示しない（ライブビュー画面ＬＶが表示される）ようにしても良い。
また、図５に示すように、各領域３１〜３５における表示の明度や色合い等の画像表示要素を変化させて区別可能としても良い。図５に示す例は、下位の領域（第５領域３５）に行くほど明度を低くして深度感を与えるようにしたものである。
【００３０】
ここで、前述したように、第１領域３１を除く他の領域（第２領域３２〜第５領域３５）は表示項目に対してアクティブではないが表示画面は選択可能となっている。そして、選択操作が行われると、それが何れの領域にあっても、選択移動の場合とは逆に各領域を順繰りに移動して第１領域３１に表示する。
たとえば、図４（ｆ）に示すように、第３領域３３に表示されている第２階層画面である撮影メニュー画面Ｍ２を選択（この場合タッチする）と、図４（ｇ）に示すように、第２階層画面である撮影メニュー画面Ｍ２を、第２領域３２を経由して、第１領域３１に表示する。
【００３１】
また、図６に示すように、各領域３１〜３５間の表示の移動は、ロータリースイッチ１２Ｂによって行うことも可能となっている。すなわち、図６（ａ）に示すように第３領域３３に第２階層である撮影メニュー画面Ｍ２が表示されている状態から、時計回り（撮影メニュー画面Ｍ２が第２領域３２を経て第１領域３１に至る方向と同方向）にロータリースイッチ１２Ｂを回転操作することにより、図６（ｂ）に示すように第２階層である撮影メニュー画面Ｍ２を第１領域３１に移動させることができる。
【００３２】
つぎに、図７を参照して、画像を再生表示する場合における表示例を説明する。再生表示時において表示部１３に表示する画像は、記録部１４が保持するものであり、この場合、記録部１４が表示画像の画像提供部である。また、撮影直後の画像を表示する場合には、撮像部が画像提供部である。
【００３３】
図７に示す再生画像の表示例では、前述した設定画面と異なり、第１領域３１〜第５領域３５は、時計回りに配置されている。各領域３１〜３５への画像の表示は、記録部１４に記録された順序付け（たとえば日付順や撮影順）に依拠して行う。すなわち、再生表示開始時には、１番目に順位付けされた画像を第１領域３１に表示し、順送り操作（ロータリースイッチ１２Ｂの回転操作やタッチパネルのストローク操作等）によって、順次下位の画像を第１領域３１に表示し、既に表示されている画像はその都度下位の領域３２〜３５に順次移動して表示する。
【００３４】
図７（ａ）は、このようにして４番目の画像Ｇ４が第１領域３１に表示され、１番目の画像Ｇ１が第４領域に表示された状態を示している。４番目の画像Ｇ４の次には、表示されていないが５番目の画像Ｇ５がある。
この状態から、ロータリースイッチ１２Ｂが領域配置と同じ方向である時計回りに回転操作されると、図７（ｂ）に示すように５番目の画像Ｇ５を第１領域３１に表示すると共に、他の画像を順送りに領域を移動させ、第５領域３５に１番目の画像Ｇ１を表示する。
【００３５】
なお、この例でも、第２領域３２から第５領域３５の画像は、選択が可能であり、操作部１２またはタッチパネルによって選択されると、当該画像を第１領域３１に移動させて表示する。
【００３６】
以上、本実施形態によると、以下の効果を有する。
（１）カメラ１０は、表示制御部２１が、縦横比が略黄金比の表示領域３０の内部を、表示可能域における短辺を一辺とする正方形の第１領域３１〜第５領域３５に区分して、表示領域３０の中央付近に向かって渦巻きを描くように配置し、各領域３１〜３５に対して、呼び出された順番に（順序付けされているものはその順番で、階層構造を有するものはその階層構造に従って）、表示を行う。
これにより、複数の表示の順序関係や階層関係を一目で理解することのできる、極めて解り易い表示が可能となる。
【００３７】
（２）第２領域３２〜第５領域３５の表示画面は選択可能となっており、選択操作が行われると、それが何れの領域にあっても、選択移動の場合とは逆に各領域を順繰りに移動して第１領域３１に表示する。
これにより、階層間の移動が容易な、操作性の良い表示が可能となる。
【００３８】
（変形形態）
以上、説明した実施形態に限定されることなく、以下に示すような種々の変形や変更が可能であり、それらも本発明の範囲内である。
（１）本実施形態では、表示領域３０を第１〜第５領域（３１〜３５）の５領域に設定したが、設定領域の数はこれに限るものではなく、表示領域３０の大きさとの関係において適宜設定可能である。
（２）本実施形態は、本発明を電子機器としてのデジタルカメラに適用したものである。しかし、本発明はこれに限らず、デジタルフォトビューワや多機能携帯電話等、表示部を有する電子機器に適用可能なものである。
【００３９】
なお、実施形態及び変形形態は、適宜組み合わせて用いることもできるが、詳細な説明は省略する。また、本発明は以上説明した実施形態によって限定されることはない。
【符号の説明】
【００４０】
１０：カメラ、１１：撮像部、１２：操作部、１３：表示部、１３Ｐ：液晶パネル、１４：記録部、２０：制御部、２１：表示制御部、２２：設定制御部、３０：表示領域、３１：第１領域、３２：第２領域、３３：第３領域、３４：第４領域、３５：第５領域
【図１】
2013219578.tif 000003
【図２】
2013219578.tif 000004
【図３】
2013219578.tif 000005
【図４】
2013219578.tif 000006
【図５】
2013219578.tif 000007
【図６】
2013219578.tif 000008
【図７】
2013219578.tif 000009